(57)【要約】      （修正有）【課題】冷却ファンの特性に応じてファン制御を校正し、所望の回転数で冷却ファンを回転させることができるファン制御校正装置を提供する。【解決手段】ファン制御校正装置３は、軸流ファン２３１Ａを所定電圧で駆動させる駆動信号を生成するための信号生成情報を記憶する信号生成情報記憶部２４６Ａと、ファン駆動制御部２４５とを備えた冷却装置２４８に用いられ、風量センサ３２と、駆動信号の電圧値に関する電圧値情報、および電圧値情報に基づく電圧値で駆動した場合での軸流ファン２３１Ａの設計上の設計風量に関する風量情報が関連付けられた電圧風量関連情報を記憶するメモリ３１３Ｄと、軸流ファン２３１Ａに出力した駆動信号の電圧値、風量センサ３２にて検出された検出風量、および電圧風量関連情報に基づいて、検出風量および設計風量を比較し、比較した結果に応じて信号生成情報を校正するＣＰＵ３１３Ｃとを備える。【選択図】図３
2006215198.tif 000002
【特許請求の範囲】
【請求項１】
冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部とを備えた冷却装置に用いられ、前記駆動制御部によるファン制御を校正するファン制御校正装置であって、
前記冷却ファンによる冷却空気の風量を検出する風量検出部と、
前記駆動信号の電圧値に関する電圧値情報、および前記電圧値情報に基づく電圧値で駆動した場合での前記冷却ファンの設計上の設計風量に関する風量情報が関連付けられた電圧風量関連情報を記憶する電圧風量関連情報記憶部と、
前記冷却ファンに出力した駆動信号の電圧値、前記風量検出部にて検出された検出風量、および前記電圧風量関連情報に基づいて、前記検出風量および前記設計風量を比較し、比較した結果に応じて前記信号生成情報を校正する信号生成情報校正部とを備えていることを特徴とするファン制御校正装置。
【請求項２】
請求項１に記載のファン制御校正装置において、
前記冷却装置は、冷却対象の温度を検出する温度検出部を備え、
前記信号生成情報は、所定の初期電圧値で前記冷却ファンを駆動させる駆動信号を生成するための初期電圧値情報であり、
前記駆動制御部は、前記初期電圧値情報に基づく前記初期電圧値で前記冷却ファンを駆動させた後、前記温度検出部にて検出された検出温度を順次認識し、認識した検出温度と所定の設定温度とを比較して偏差量を算出し、前記偏差量に基づいて従前に前記冷却ファンを駆動させていた電圧を変更して前記冷却ファンを駆動させるフィードバック制御を実施し、
前記信号生成情報校正部は、前記冷却ファンに出力した駆動信号の電圧値、前記風量検出部にて検出された検出風量、および前記電圧風量関連情報に基づいて、前記検出風量および前記設計風量を比較し、比較した結果に応じて前記初期電圧値情報に基づく前記初期電圧値を変更して前記初期電圧値情報を校正することを特徴とするファン制御校正装置。
【請求項３】
請求項１に記載のファン制御校正装置において、
前記冷却装置は、冷却対象の温度を検出する温度検出部を備え、
前記信号生成情報は、温度に関する温度情報、および前記温度に応じた回転数で前記冷却ファンを駆動させるための電圧値に関する電圧値情報が関連付けられた電圧温度関連情報であり、
前記駆動制御部は、前記温度検出部にて検出された検出温度を順次認識し、認識した検出温度および前記電圧温度関連情報に基づいて、前記検出温度に応じた電圧値で前記冷却ファンを駆動させる温度対応制御を実施し、
前記信号生成情報校正部は、前記冷却ファンに出力した駆動信号の電圧値、前記風量検出部にて検出された検出風量、および前記電圧風量関連情報に基づいて、前記検出風量および前記設計風量を比較し、比較した結果に応じて前記温度情報および前記電圧値情報の関係を変更して前記電圧温度関連情報を校正することを特徴とするファン制御校正装置。
【請求項４】
請求項１から請求項３のいずれかのファン制御校正装置において、
前記冷却装置は、前記冷却装置を内部に収納する外装筺体を有する電子機器に搭載され、
前記風量検出部は、前記外装筺体に着脱自在に取り付けられることを特徴とするファン制御校正装置。
【請求項５】
冷却対象に冷却空気を送風して冷却する冷却装置であって、
冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部と、請求項１から請求項４のいずれかに記載のファン制御校正装置とを備えていることを特徴とする冷却装置。
【請求項６】
請求項５に記載の冷却装置と、前記冷却装置を内部に収納する外装筺体とを備えていることを特徴とする電子機器。
【請求項７】
冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部とを備えた冷却装置における前記駆動制御部によるファン制御を校正するファン制御校正方法であって、
前記冷却ファンによる冷却空気の風量を検出する風量検出ステップと、
前記冷却ファンに出力した駆動信号の電圧値と、前記風量検出ステップにて検出した検出風量と、前記駆動信号の電圧値に関する電圧値情報、および前記電圧値情報に基づく電圧値で駆動した場合での前記冷却ファンの設計上の設計風量に関する風量情報が関連付けられた電圧風量関連情報とに基づいて、前記検出風量および前記設計風量を比較する情報比較ステップと、
前記情報比較ステップにて比較した結果に応じて前記信号生成情報を校正する信号生成情報校正ステップとを備えていることを特徴とするファン制御校正方法。
【請求項８】
冷却空気を送風する冷却ファン、前記冷却ファンを所定電圧で駆動させる駆動信号を生成するための信号生成情報を記憶する信号生成情報記憶部、および前記信号生成情報に基づいて駆動信号を生成し前記駆動信号を前記冷却ファンに出力して前記冷却ファンを駆動制御する駆動制御部を備える冷却装置と、前記冷却装置を内部に収納する外装筺体とを備えた電子機器の製造方法であって、
前記外装筺体に風量検出部を取り付ける風量検出部設置ステップと、
前記風量検出部にて前記冷却ファンによる冷却空気の風量を検出する風量検出ステップと、
前記冷却ファンに出力した駆動信号の電圧値と、前記風量検出ステップにて検出した検出風量と、前記駆動信号の電圧値に関する電圧値情報、および前記電圧値情報に基づく電圧値で駆動した場合での前記冷却ファンの設計上の設計風量に関する風量情報が関連付けられた電圧風量関連情報とに基づいて、前記検出風量および前記設計風量を比較する情報比較ステップと、
前記情報比較ステップにて比較した結果に応じて前記信号生成情報を校正する信号生成情報校正ステップと、
前記信号生成情報校正ステップの後、前記風量検出部を前記外装筺体から取り外す風量検出部取外ステップとを備えていることを特徴とする電子機器の製造方法。
【発明の詳細な説明】
【技術分野】
【０００１】
本発明は、ファン制御校正装置、冷却装置、電子機器、ファン制御校正方法、および電子機器の製造方法に関する。
【背景技術】
【０００２】
従来、光源から射出された光束を画像情報に応じて変調し、拡大投射するプロジェクタが利用されており、近年、このようなプロジェクタは、企業におけるパーソナルコンピュータでプレゼンテーションを行ったり、家庭内で映画等を見たり、種々の用途に用いられている。
このようなプロジェクタは、光源と、この光源から射出された光束を画像情報に応じて変調して光学像を形成する光変調装置と、光源および光変調装置の間に配置され、光源から射出された光束に種々の光学変換を施す光学変換素子、レンズ、ミラー等の光学部品とを備えて構成され、これらの光源、光変調装置、および光学部品は、外装ケースと呼ばれる筐体の内部に収納されている。
【０００３】
ここで、光源や、プロジェクタに電力を供給するための電源回路、光源駆動用の回路は、動作中筺体内部で加熱する発熱源である一方、光学エンジンを構成する光学部品、光変調装置には熱に弱いものもある。このため、プロジェクタには、筺体外部から冷却空気を導入し、筺体内部の各部品を冷却した後、筺体外部に加熱された空気を排出する冷却装置が設けられている。
このような冷却装置は、冷却ファンが採用され、プロジェクタ内部に設けた冷却ファン制御装置にて冷却ファンの回転速度を制御し、プロジェクタ内部を効率的に冷却する方法が提案されている（例えば、特許文献１参照）。
この特許文献１に記載の冷却装置では、プロジェクタにおける外装筺体の吸気口と冷却ファンとの間を接続するダクト内に温度センサを設け、この温度センサによる検出温度がいずれの温度範囲であるかを判別し、判別した温度範囲に応じた電圧値で冷却ファンを駆動させ、判別した温度範囲に応じた回転数で冷却ファンを回転させている。
【０００４】
【特許文献１】特開２００３−５２８９号公報
【発明の開示】
【発明が解決しようとする課題】
【０００５】
ところで、冷却ファンの製造において、冷却ファンに印加する電圧と該電圧に応じて冷却ファンが回転する回転数との関係を、製造した全ての冷却ファンで同一に設定することは、非常に難しいものである。すなわち、製造した各冷却ファンは、その特性（冷却ファンに印加する電圧と該電圧に応じて冷却ファンが回転する回転数との関係）にばらつきが生じやすい。
このため、特許文献１に記載の冷却装置では、冷却ファンの特性が設計上の特性を有していない場合には、判別した温度範囲に応じた電圧を冷却ファンに印加した際、判別した温度範囲に応じた所望の回転数で冷却ファンを回転させることができない。
したがって、冷却ファンの特性が設計上の特性を有していない場合であっても、冷却ファンの特性に応じてファン制御を校正し、所望の回転数で冷却ファンを回転させることが可能な技術が要望されている。
【０００６】
本発明の目的は、冷却ファンの特性が設計上の特性を有していない場合であっても、冷却ファンの特性に応じてファン制御を校正し、所望の回転数で冷却ファンを回転させることができるファン制御校正装置、冷却装置、電子機器、ファン制御校正方法、および電子機器の製造方法を提供することにある。
【課題を解決するための手段】
【０００７】
本発明のファン制御校正装置は、冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部とを備えた冷却装置に用いられ、前記駆動制御部によるファン制御を校正するファン制御校正装置であって、前記冷却ファンによる冷却空気の風量を検出する風量検出部と、前記駆動信号の電圧値に関する電圧値情報、および前記電圧値情報に基づく電圧値で駆動した場合での前記冷却ファンの設計上の設計風量に関する風量情報が関連付けられた電圧風量関連情報を記憶する電圧風量関連情報記憶部と、前記冷却ファンに出力した駆動信号の電圧値、前記風量検出部にて検出された検出風量、および前記電圧風量関連情報に基づいて、前記検出風量および前記設計風量を比較し、比較した結果に応じて前記信号生成情報を校正する信号生成情報校正部とを備えていることを特徴とする。
【０００８】
本発明では、ファン制御校正装置は、風量検出部と、電圧風量関連情報記憶部と、信号生成情報校正部とを備えているので、例えば、以下に示すように、冷却装置を構成する駆動制御部によるファン制御を校正できる。
先ず、所定の電圧で冷却ファンを駆動させた状態で、該冷却ファンから送風される風量を風量検出部に検出させる。
次に、信号生成情報校正部が、電圧風量関連情報に基づいて、前記所定の電圧に対応する設計上の風量（設計風量）を認識する。そして、信号生成情報校正部が、認識した設計風量と、風量検出部にて検出された検出風量とを比較し、設計風量および検出風量にずれが生じている場合に、所定の電圧を冷却ファンに印加した際に前記所定の電圧に対応する設計上の風量が冷却ファンから送風されるように、信号生成情報記憶部に記憶された信号生成情報を校正する。
【０００９】
このため、冷却ファンの特性が設計上の特性を有していない場合であっても、冷却ファンの特性に応じて信号校正情報を校正することで、所望の回転数で冷却ファンを回転させて冷却ファンから所望の風量の空気を送風させることができる。
例えば、冷却ファンの特性が設計上の特性を有しておらず、冷却ファンから送風される風量が設計上の設計風量よりも小さい場合には、信号校正情報を校正することで、冷却ファンから送風される風量を増加させて設計風量を送風させることができ、冷却装置により冷却対象を確実に冷却できる。
また、例えば、冷却ファンの特性が設計上の特性を有しておらず、冷却ファンから送風される風量が設計上の設計風量よりも大きい場合には、信号校正情報を校正することで、冷却ファンから送風される風量を減少させて設計風量を送風させることができ、余計に冷却ファンを回転させることなく冷却ファン自体の騒音を抑制できる。
【００１０】
本発明のファン制御校正装置では、前記冷却装置は、冷却対象の温度を検出する温度検出部を備え、前記信号生成情報は、所定の初期電圧値で前記冷却ファンを駆動させる駆動信号を生成するための初期電圧値情報であり、前記駆動制御部は、前記初期電圧値情報に基づく前記初期電圧値で前記冷却ファンを駆動させた後、前記温度検出部にて検出された検出温度を順次認識し、認識した検出温度と所定の設定温度とを比較して偏差量を算出し、前記偏差量に基づいて従前に前記冷却ファンを駆動させていた電圧を変更して前記冷却ファンを駆動させるフィードバック制御を実施し、前記信号生成情報校正部は、前記冷却ファンに出力した駆動信号の電圧値、前記風量検出部にて検出された検出風量、および前記電圧風量関連情報に基づいて、前記検出風量および前記設計風量を比較し、比較した結果に応じて前記初期電圧値情報に基づく前記初期電圧値を変更して前記初期電圧値情報を校正することが好ましい。
【００１１】
本発明では、駆動制御部は、初期電圧値情報に基づく初期電圧で冷却ファンを駆動させた後、温度検出部にて検出された検出温度と、所定の設定温度とに基づいて、上述したフィードバック制御を実施する。
ここで、例えば、初期電圧値で冷却ファンを駆動させた状態で、冷却ファンから送風される風量を風量検出部に検出させる。
次に、信号生成情報校正部が、電圧風量関連情報に基づいて、前記初期電圧値に対応する設計上の風量（設計風量）を認識する。そして、信号生成情報校正部が、認識した設計風量と、風量検出部にて検出された検出風量とを比較し、設計風量および検出風量にずれが生じている場合に、初期電圧値を冷却ファンに印加した際に初期電圧値に対応する設計上の風量が冷却ファンから送風されるように、信号生成情報記憶部に記憶された初期電圧値情報を校正する。
【００１２】
このため、例えば、冷却ファンの特性が設計上の特性を有しておらず、冷却ファンから送風される風量が設計上の設計風量よりも小さい場合には、初期電圧値情報を校正することで、駆動制御部により冷却ファンの初期駆動時において、冷却ファンから送風される風量を増加させて設計風量を送風させることができる。そして、駆動制御部による冷却ファンのフィードバック制御時において、冷却対象を所定の設定温度にまで迅速に冷却することができる。
また、例えば、冷却ファンの特性が設計上の特性を有しておらず、冷却ファンから送風される風量が設計上の設計風量よりも大きい場合には、初期電圧値情報を校正することで、駆動制御部により冷却ファンの初期駆動時において、冷却ファンから送風される風量を増加させて設計風量を送風させることができ、余計に冷却ファンを回転させることなく冷却ファン自体の騒音を抑制できる。
【００１３】
本発明のファン制御校正装置では、前記冷却装置は、冷却対象の温度を検出する温度検出部を備え、前記信号生成情報は、温度に関する温度情報、および前記温度に応じた回転数で前記冷却ファンを駆動させるための電圧値に関する電圧値情報が関連付けられた電圧温度関連情報であり、前記駆動制御部は、前記温度検出部にて検出された検出温度を順次認識し、認識した検出温度および前記電圧温度関連情報に基づいて、前記検出温度に応じた電圧値で前記冷却ファンを駆動させる温度対応制御を実施し、前記信号生成情報校正部は、前記冷却ファンに出力した駆動信号の電圧値、前記風量検出部にて検出された検出風量、および前記電圧風量関連情報に基づいて、前記検出風量および前記設計風量を比較し、比較した結果に応じて前記温度情報および前記電圧値情報の関係を変更して前記電圧温度関連情報を校正することが好ましい。
【００１４】
本発明では、駆動制御部は、温度検出部にて検出された検出温度、および電圧温度関連情報に基づいて、上述した温度対応制御を実施する。
ここで、例えば、所定の電圧で冷却ファンを駆動させた状態で、冷却ファンから送風される風量を風量検出部に検出させる。
次に、信号生成情報校正部が、電圧風量関連情報に基づいて、前記所定の電圧に対応する設計上の風量（設計風量）を認識する。そして、信号生成情報校正部が、認識した設計風量と、風量検出部にて検出された検出風量とを比較し、設計風量および検出風量にずれが生じている場合に、所定の電圧を冷却ファンに印加した際に前記所定の電圧に対応する設計上の風量が冷却ファンから送風されるように、信号生成情報記憶部に記憶された電圧温度関連情報における温度情報および電圧値情報の関係を変更して電圧温度関連情報を校正する。
このため、冷却ファンの特性が設計上の特性を有していない場合であっても、冷却ファンの特性に応じて電圧温度関連情報を校正することで、冷却対象が所定の温度状態の時に所望の回転数で冷却ファンを回転させて冷却ファンから所望の風量の空気を送風させることができ、冷却対象をより効率的に冷却できる。
【００１５】
本発明のファン制御校正装置では、前記冷却装置は、前記冷却装置を内部に収納する外装筺体を有する電子機器に搭載され、前記風量検出部は、前記外装筺体に着脱自在に取り付けられることが好ましい。
本発明によれば、風量検出部が電子機器を構成する外装筐体に着脱自在に取り付けられているので、電子機器を製造する際、すなわち、電子機器に搭載された冷却装置におけるファン制御を校正する際にのみ、風量検出部を取り付ければよく、電子機器に風量検出部を内蔵する構成と比較して、電子機器自体のコスト低減を図れる。
【００１６】
本発明の冷却装置は、冷却対象に冷却空気を送風して冷却する冷却装置であって、冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部と、上述したファン制御校正装置とを備えていることを特徴とする。
本発明によれば、冷却装置は、冷却ファンと、信号生成情報記憶部と、駆動制御部と、上述したファン制御校正装置を備えているので、上述したファン制御校正装置と同様の作用・効果を享受できる。
また、冷却装置が上述したファン制御校正装置を備えているので、冷却装置の駆動時に常時、ファン制御を校正できる。このため、冷却ファンの経時劣化等により冷却ファンの特性が時間の経過に応じて変化した場合であっても、変化した冷却ファンの特性に応じて信号校正情報を校正でき、常時、所望の回転数で冷却ファンを回転させて冷却ファンから所望の風量の空気を送風させることができる。
【００１７】
本発明の電子機器は、上述した冷却装置と、前記冷却装置を内部に収納する外装筺体とを備えていることを特徴とする。
本発明によれば、上述した冷却装置を備えているので、上述した冷却装置と同様の作用・効果を享受できる。
また、冷却対象を効率的に冷却できる冷却装置を備えているので、電子機器の長寿命化を図れる。
さらに、騒音の低減化を図れる冷却装置を備えているので、電子機器から生じる音を低減でき、例えば、音声を出力するような電子機器に上述した冷却装置を採用した場合には、電子機器から出力される音声が冷却装置から生じる騒音に妨害されることがない。
【００１８】
本発明のファン制御校正方法は、冷却空気を送風する冷却ファンと、前記冷却ファンを所定電圧で駆動させる駆動信号を生成するための信号生成情報を記憶する信号生成情報記憶部と、前記信号生成情報に基づいて駆動信号を生成し前記駆動信号を前記冷却ファンに出力して前記冷却ファンを駆動制御する駆動制御部とを備えた冷却装置における前記駆動制御部によるファン制御を校正するファン制御校正方法であって、前記冷却ファンによる冷却空気の風量を検出する風量検出ステップと、前記冷却ファンに出力した駆動信号の電圧値と、前記風量検出ステップにて検出した検出風量と、前記駆動信号の電圧値に関する電圧値情報、および前記電圧値情報に基づく電圧値で駆動した場合での前記冷却ファンの設計上の設計風量に関する風量情報が関連付けられた電圧風量関連情報とに基づいて、前記検出風量および前記設計風量を比較する情報比較ステップと、前記情報比較ステップにて比較した結果に応じて前記信号生成情報を校正する信号生成情報校正ステップとを備えていることを特徴とする。
本発明によれば、ファン制御校正方法は、風量検出ステップと、情報比較ステップと、信号生成情報校正ステップとを備えているので、上述したファン制御校正装置と同様の作用・効果を享受できる。
【００１９】
本発明の電子機器の製造方法は、冷却空気を送風する冷却ファン、前記冷却ファンを所定電圧で駆動させる駆動信号を生成するための信号生成情報を記憶する信号生成情報記憶部、および前記信号生成情報に基づいて駆動信号を生成し前記駆動信号を前記冷却ファンに出力して前記冷却ファンを駆動制御する駆動制御部を備える冷却装置と、前記冷却装置を内部に収納する外装筺体とを備えた電子機器の製造方法であって、前記外装筺体に風量検出部を取り付ける風量検出部設置ステップと、前記風量検出部にて前記冷却ファンによる冷却空気の風量を検出する風量検出ステップと、前記冷却ファンに出力した駆動信号の電圧値と、前記風量検出ステップにて検出した検出風量と、前記駆動信号の電圧値に関する電圧値情報、および前記電圧値情報に基づく電圧値で駆動した場合での前記冷却ファンの設計上の設計風量に関する風量情報が関連付けられた電圧風量関連情報とに基づいて、前記検出風量および前記設計風量を比較する情報比較ステップと、前記情報比較ステップにて比較した結果に応じて前記信号生成情報を校正する信号生成情報校正ステップと、前記信号生成情報校正ステップの後、前記風量検出部を前記外装筺体から取り外す風量検出部取外ステップとを備えていることを特徴とする。
【００２０】
本発明によれば、電子機器の製造方法は、風量検出部設置ステップと、上述したファン制御校正方法である風量検出ステップ、情報比較ステップ、および信号生成情報校正ステップと、風量検出部取外ステップとを備えているので、上述したファン制御校正方法と同様の作用・効果を享受できる。
また、風量検出部設置ステップおよび風量検出部取外ステップを備えているので、電子機器を製造する際にのみ、風量検出部を電子機器に取り付ければよく、電子機器に風量検出部を内蔵する構成と比較して、電子機器自体のコスト低減を図れる。
【発明を実施するための最良の形態】
【００２１】
[第１実施形態]
以下、本発明の第１実施形態を図面に基づいて説明する。
〔ファン制御校正システムの構成〕
図１は、本実施形態におけるファン制御校正装置３を利用したファン制御校正システム１の概略構成を示す図である。
ファン制御校正システム１は、ファン制御校正装置３を利用して、プロジェクタ２を構成する軸流ファン２３１Ａ（図２参照）の特性（軸流ファン２３１Ａに印加する電圧と該電圧に応じて軸流ファン２３１Ａが回転する回転数との関係）に応じてファン制御を校正するシステムである。このファン制御校正システム１は、図１に示すように、プロジェクタ２と、ファン制御校正装置３とを備える。
【００２２】
〔プロジェクタの構成〕
図２は、電子機器としてのプロジェクタ２の概略構成を示す図である。
プロジェクタ２は、光源から射出される光束を画像情報に応じて変調してカラー画像を形成し、形成したカラー像をスクリーン（図示略）上に拡大投射する。このプロジェクタ２は、図２に示すように、外装筺体２１と、光学ユニット２２と、冷却ユニット２３と、制御装置２４（図３参照）とを備える。
外装筺体２１は、射出成型等による合成樹脂製品であり、光学ユニット２２、冷却ユニット２３、および制御装置２４を内部に収納配置する全体略直方体状に形成されている。この外装筺体２１は、プロジェクタ２の天面、前面、背面、および側面をそれぞれ構成するアッパーケース（図示略）と、プロジェクタ２の底面、前面、側面、および背面をそれぞれ構成するロアーケース２１１とで構成され、前記アッパーケースおよび前記ロアーケースは互いにねじ等で固定されている。
これらのうち、ロアーケース２１１の底面には、図２に示すように、外装筺体２１内部と連通する開口部２１１Ａが形成され、該開口部２１１Ａにはセンサ交換蓋２１１Ｂが取り付けられている。そして、センサ交換蓋２１１Ｂを取り外すことで、ファン制御校正装置３を構成する後述する風量センサ３２を外装筐体２１内部に着脱自在とする。
また、外装筺体２１には、冷却ユニット２３によりプロジェクタ２外部の冷却空気を内部に取り込むための吸気口（図示略）と、プロジェクタ２内部の空気を排出するための排気口２１Ａとが形成されている。
【００２３】
光学ユニット２２は、制御装置２４による制御の下、光源装置から射出された光束を画像情報に応じて変調してカラー画像を形成し、投射レンズを介してスクリーン上に拡大投射する。この光学ユニット２２は、図２に示すように、インテグレータ照明光学系２２１と、色分離光学装置２２２と、リレー光学系２２３と、光学装置２２４と、投射レンズ２２５と、光学部品用筐体２２６とを備える。
【００２４】
インテグレータ照明光学系２２１は、光源から射出された光束を照明光軸直交面内における照度を均一にするための光学系である。このインテグレータ照明光学系２２１は、図２に示すように、光源ランプ２２１Ａ１、リフレクタ２２１Ａ２、およびランプドライバ２２１Ａ３（図３参照）を含む光源装置２２１Ａと、第１レンズアレイ２２１Ｂと、第２レンズアレイ２２１Ｃと、偏光変換素子２２１Ｄと、重畳レンズ２２１Ｅとを備える。光源ランプ２２１Ａ１から射出された光束は、リフレクタ２２１Ａ２によって射出方向が揃えられ、第１レンズアレイ２２１Ｂによって複数の部分光束に分割され、第２レンズアレイ２２１Ｃの近傍で結像する。第２レンズアレイ２２１Ｃから射出された各部分光束は、その中心軸（主光線）が後段の偏光変換素子２２１Ｄの入射面に垂直となるように入射し、偏光変換素子２２１Ｄにて略１種類の直線偏光光として射出される。偏光変換素子２２１Ｄから直線偏光光として射出され、重畳レンズ２２１Ｅを介した複数の部分光束は、光学装置２２４の後述する３枚の液晶パネル上で重畳する。
【００２５】
色分離光学装置２２２は、２枚のダイクロイックミラー２２２Ａ，２２２Ｂと、反射ミラー２２２Ｃとを備え、これらのダイクロイックミラー２２２Ａ，２２２Ｂ、反射ミラー２２２Ｃによりインテグレータ照明光学系２２１から射出された複数の部分光束を赤、緑、青の三色の色光に分離する機能を有する。
リレー光学系２２３は、入射側レンズ２２３Ａ、リレーレンズ２２３Ｂ、および反射ミラー２２３Ｃ，２２３Ｄを備え、色分離光学装置２２２で分離された色光を後述する液晶パネルまで導く機能を有する。
【００２６】
光学装置２２４は、色分離光学装置２２２から射出される３つの色光を画像情報に応じてそれぞれ変調し、変調した各色光を合成してカラー画像を形成する。この光学装置２２４は、図２に示すように、液晶パネル２２４Ａ１を有する３つの光変調装置２２４Ａと、これら光変調装置２２４Ａの光束入射側および光束射出側にそれぞれ配置される入射側偏光板２２４Ｂおよび射出側偏光板２２４Ｃと、クロスダイクロイックプリズム２２４Ｄとを備える。
入射側偏光板２２４Ｂは、偏光変換素子２２１Ｄで偏光方向が略一方向に揃えられた各色光が入射され、入射された光束のうち、偏光変換素子２２１Ｄで揃えられた光束の偏光軸と略同一方向の偏光光のみ透過させ、その他の光束を吸収するものである。この入射側偏光板２２４Ｂは、例えば、サファイアガラスまたは水晶等の透光性基板上に偏光膜が貼付された構成を有している。
光変調装置２２４Ａを構成する液晶パネル２２４Ａ１は、具体的な図示は省略するが、一対の透明なガラス基板に電気光学物質である液晶が密閉封入された構成を有し、制御装置２４から出力される駆動信号に応じて、前記液晶の配向状態が制御され、入射側偏光板２２４Ｂから射出された偏光光束の偏光方向を変調する。
【００２７】
射出側偏光板２２４Ｃは、入射側偏光板２２４Ｂと略同様の構成であり、光変調装置２２４Ａから射出された光束のうち、入射側偏光板２２４Ｂにおける光束の透過軸と直交する偏光軸を有する光束のみ透過させ、その他の光束を吸収するものである。
クロスダイクロイックプリズム２２４Ｄは、射出側偏光板２２４Ｃから射出された色光毎に変調された光学像を合成してカラー画像を形成する光学素子である。このクロスダイクロイックプリズム２２４Ｄは、４つの直角プリズムを貼り合わせた平面視正方形状をなし、直角プリズム同士を貼り合わせた界面には、２つの誘電体多層膜が形成されている。これら誘電体多層膜は、投射レンズ２２５に対向する側に配置された光変調装置２２４Ａから射出され射出側偏光板２２４Ｃを介した色光を透過し、残りの２つの各光変調装置２２４Ａから射出され射出側偏光板２２４Ｃを介した色光を反射する。このようにして、各光変調装置２２４Ａにて変調された各色光が合成されてカラー画像が形成される。
投射レンズ２２５は、筒状の鏡筒内に複数のレンズが収納された組レンズとして構成され、光学装置２２４により画像情報に応じて変調されたカラー画像を拡大投射する。
【００２８】
光学部品用筐体２２６は、射出成型等による合成樹脂製品であり、図２に示すように、上述した光学部品２２１，２２２，２２３，２２４が収納される部品収納部材２２６Ａと、部品収納部材２２６Ａの上面の開口部分を塞ぐ蓋状部材（図示略）とを備える。
部品収納部材２２６Ａは、光源装置２２１Ａが収納される光源収納部２２６Ｂと、光源装置２２１Ａを除く他の光学部品２２１，２２２，２２３，２２４が収納される容器状に形成された部品収納部２２６Ｃとを備える。
光源収納部２２６Ｂは、略箱型形状であり、部品収納部２２６Ｃ側の端面、およびこの端面に対向する端面に開口が形成され、投射レンズ２２５の投射方向側の端面、およびこの端面に対向する端面に光源収納部２２６Ｂ内外に空気を流通可能とする空気流通孔が形成されている。部品収納部２２６Ｃ側の端面に形成された開口は、光源装置２２１Ａから射出された光束を透過させるためのものである。部品収納部２２６Ｃ側の端面に対向する端面に形成された開口は、光源装置２２１Ａを光源収納部２２６Ｂの側方から挿し込むようにして収納するための開口である。
【００２９】
冷却ユニット２３は、プロジェクタ２内部に形成される冷却流路に冷却空気を流通させ、プロジェクタ２内で発生する熱を冷却する。この冷却ユニット２３は、光源収納部２２６Ｂの側方に位置し、光源収納部２２６Ｂに形成された空気流通孔を介して光源収納部２２６Ｂ内の空気を吸入して吐出するファンドライバ２３１Ｂ（図３参照）および冷却ファンとしての軸流ファン２３１Ａを含むファン装置２３１と、ファン装置２３１の吐出口および外装筺体２１の排気口２１Ａを接続し、ファン装置２３１から吐出された空気を排気口２１Ａに導くダクト２３２等とを備える。
ダクト２３２は、具体的な図示は省略するが、外装筺体２１に一体的に形成されており、外装筺体２１のロアーケース２１１に設けられたセンサ交換蓋２１１Ｂもダクト２３２の一部を構成する。そして、ファン制御校正装置３を構成する後述する風量センサ３２がダクト２３２内壁に取り付け可能となっている。
制御装置２４は、プロジェクタ２全体を駆動制御する。なお、制御装置２４による制御構造については、ファン制御校正装置３の構成を説明する際に同時に説明する。
【００３０】
〔ファン制御校正装置の構成〕
図３は、プロジェクタ２およびファン制御校正装置３の制御構造を模式的に示すブロック図である。
上述したように、ファン制御校正装置３の構成を説明する前に、プロジェクタ２の制御構造を説明する。
【００３１】
〔プロジェクタの制御構造〕
制御装置２４は、図３に示すように、各液晶パネル２２４Ａ１、光源装置２２１Ａ、ファン装置２３１等を制御する。この制御装置２４は、図３に示すように、インターフェース部２４１と、液晶パネル駆動制御部２４２と、フレームメモリ２４３と、ランプ駆動制御部２４４と、ファン駆動制御部２４５と、メモリ２４６とを備える。
インターフェース部２４１は、外部から信号線を介して入力される信号に対して予め設定されている入力インターフェース処理を実行し、液晶パネル駆動制御部２４２やファン駆動制御部２４５等に出力する。例えば、インターフェース部２４１は、各種外部機器から出力される画像信号等を入力し、液晶パネル駆動制御部２４２にて処理可能な画像信号に変換して出力する。そして、インターフェース部２４１から出力された画像信号（デジタル画像信号）は、フレームメモリ２４３に一時的に記録される。また、例えば、インターフェース部２４１は、ファン制御校正装置本体３１と信号線Ｓｉ１（図１、図３）を介して接続し、ファン制御校正装置本体３１から出力される校正モードに移行させる旨の信号や初期電圧値情報を校正する旨の信号等を入力し、ファン駆動制御部２４５にて処理可能な信号に変換して出力する。
【００３２】
液晶パネル駆動制御部２４２は、インターフェース部２４１から出力されフレームメモリ２４３に順次記憶されるデジタル画像信号を適宜読み出して、読み出したデジタル画像信号に対して所定の処理を施し、処理を施した画像に対応する画像情報としての駆動信号を各液晶パネル２２４Ａ１に出力して所定の光学像を形成させる。この液晶パネル駆動制御部２４２における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。
【００３３】
ランプ駆動制御部２４４は、所定のランプ駆動プログラムにしたがって、所定の駆動周波数で光源ランプ２２１Ａ１を駆動させる旨の制御指令をランプドライバ２２１Ａ３に出力し、ランプドライバ２２１Ａ３に所定の駆動周波数に応じた駆動信号を生成させ、光源ランプ２２１Ａ１を駆動させる。
【００３４】
ファン駆動制御部２４５は、メモリ２４６に記憶された初期電圧値情報を校正するための校正モードや、プロジェクタ２を通常に駆動するための通常モード等の各モードに応じて、所定のプログラムを図示しないメモリから読み出し、該プログラムにしたがってファン装置２３１を駆動制御する。
例えば、ファン駆動制御部２４５は、ファン制御校正装置本体３１からインターフェース部２４１を介して入力した校正モードに移行させる旨の信号に応じて、プロジェクタ２を通常モードから校正モードに移行する。そして、ファン駆動制御部２４５は、メモリ２４６に記憶された初期電圧値情報に基づいて、初期電圧値で軸流ファン２３１Ａを駆動させる。また、ファン駆動制御部２４５は、プロジェクタ２の校正モード時において、ファン制御校正装置本体３１からインターフェース部２４１を介して入力した初期電圧値情報を校正する旨の信号に基づいて、メモリ２４６に記憶された初期電圧値情報を書き換える。
【００３５】
また、例えば、ファン駆動制御部２４５は、プロジェクタ２の通常モード時において、メモリ２４６に記憶された初期電圧値情報に基づく初期電圧値で軸流ファン２３１Ａを駆動させた後、光源ランプ２２１Ａ１近傍に配設された温度検出部としてのサーミスタ２４７（図３）にて検出された検出温度を順次認識し、認識した検出温度と、メモリ２４６に記憶された設定温度情報に基づく設定温度との偏差量を算出し、該偏差量に基づいて軸流ファン２３１Ａに印加する電圧値を変更して光源ランプ２２１Ａ１近傍の温度が前記設定温度になるようにフィードバック制御を実施する。なお、このフィードバック制御としては、検出温度と設定温度との偏差量に基づいて軸流ファン２３１Ａに印加する電圧値を変更するフィードバック制御であればよく、比例制御、ＰＩ（Proportional Integral）制御、PID(Proportional Integral Differential)制御等のいずれを採用してもよい。
このファン駆動制御部２４５は、図３に示すように、サーミスタ２４７から出力されるアナログ信号をデジタル信号に変換するＡＤＣ（Analog to Digital Converter）２４５Ａと、上述したフィードバック制御を実施する制御部本体２４５Ｂと、制御部本体２４５Ｂにより処理されて出力される所定の入力コードに応じてアナログ信号（電圧）をファンドライバ２３１Ｂに出力するＤＡＣ（Digital to Analog Converter）２４５Ｃとを備えている。
【００３６】
メモリ２４６は、ファン駆動制御部２４５におけるフィードバック制御に必要な情報を記憶する。このメモリ２４６は、図３に示すように、信号生成情報記憶部２４６Ａと、設定温度情報記憶部２４６Ｂとを備える。
信号生成情報記憶部２４６Ａは、制御部本体２４５Ｂがフィードバック制御を実施する際の初期電圧値に関する信号生成情報としての初期電圧値情報を記憶する。この信号生成情報記憶部２４６Ａは、制御部本体２４５Ｂにより初期電圧値情報を書換可能に構成されている。
設定温度情報記憶部２４６Ｂは、制御部本体２４５Ｂがフィードバック制御を実施する際の設定温度に関する設定温度情報を記憶する。この設定温度情報記憶部２４６Ｂとしては、プロジェクタ２の図示しない操作部等への利用者の入力操作により、設定温度情報を書換可能に構成してもよい。
以上説明した軸流ファン２３１Ａ、ファン駆動制御部２４５、および信号生成情報記憶部２４６Ａが本発明に係る冷却装置２４８に相当する。
【００３７】
〔ファン制御校正装置による制御構造〕
ファン制御校正装置３は、プロジェクタ２の製造時において、軸流ファン２３１Ａの特性（軸流ファン２３１Ａに印加する電圧と該電圧に応じて軸流ファン２３１Ａが回転する回転数との関係）が設計上の特性を有していない場合に、信号生成情報記憶部２４６Ａに記憶された初期電圧値情報を校正させる。このファン制御校正装置３は、図１または図３に示すように、ＣＰＵ(Central Processing Unit)およびハードディスクを備えたＰＣ(Personal Computer)で構成されるファン制御校正装置本体３１と、風量検出部としての風量センサ３２とを備える。
【００３８】
風量センサ３２は、プロジェクタ２の外装筺体２１を構成するロアーケース２１１に設けられるセンサ交換蓋２１１Ｂを介してダクト２３２内壁に着脱可能に取り付けられ、ファン制御校正装置本体３１からの所定の信号に応じて軸流ファン２３１Ａにより吐出されダクト２３２内を流通する空気の風量を検出する。
なお、ダクト２３２に対する風量センサ３２の着脱構造に関しては、例えば、ねじ等の固定部材によりダクト２３２の内壁に取り付ける構造、あるいは、ダクト２３２の内壁に風量センサ３２の外形に応じた凹部を設けておき該凹部に風量センサ３２を嵌め込む構造等、いずれの構造を採用してもよい。
【００３９】
また、この風量センサ３２の構成としては、特に限定されないが、例えば、以下に示す定温度差法を利用した風量センサが例示できる。
すなわち、風量センサ３２を、ヒータと、周囲温度センサと、これらを制御する制御装置とを含んで構成し、前記制御装置にて前記ヒータの温度が前記周囲温度センサにて検出された周囲温度に対して常に一定の温度差になるように制御する。そして、ダクト２３２内を流通する空気により前記温度差が一定値から外れた際に、前記制御装置が前記温度差を一定値とするように前記ヒータを制御する。この際、前記ヒータから奪われる熱量は、ダクト２３２内を流通する空気の風量と相関があるので、前記ヒータに対する加熱電力量から空気の風量を算出する。
そして、風量センサ３２は、ファン制御校正装置本体３１と信号線Ｓｉ２（図１、図３）を介して接続され、算出した風量に応じた信号をファン制御校正装置本体３１に出力する。
【００４０】
ファン制御校正装置本体３１は、種々のプログラムを実行して所定の情報をプロジェクタ２に出力する。このファン制御校正装置本体３１は、図１または図３に示すように、操作部３１１と、表示部３１２と、制御装置３１３とを備える。
操作部３１１は、例えば、キーボードおよびマウス等で入力操作される各種操作ボタンを有している。この操作ボタンの入力操作を実施することにより、制御装置３１３を適宜動作させるとともに、例えば、表示部３１２に表示される情報に対して、制御装置３１３の動作内容の設定等が実施される。そして、作業者による操作部３１１の入力操作により、操作部３１１から適宜所定の操作信号を制御装置３１３に出力する。
なお、この操作部３１１としては、操作ボタンの入力操作に限らず、例えば、タッチパネルによる入力操作や、音声による入力操作等により、各種条件を設定入力する構成としてもできる。
【００４１】
表示部３１２は、制御装置３１３に制御され、所定の情報を表示する。例えば、制御装置３１３にて処理された情報の表示、または、操作部３１１の入力操作により、制御装置３１３の後述するメモリに格納する情報を設定入力または更新する際、制御装置３１３から出力されるメモリ内のデータを適宜表示させる。この表示部３１２は、例えば、液晶や有機ＥＬ(Electroluminescence)、ＰＤＰ(Plasma Display Panel)、ＣＲＴ(Cathode-Ray Tube)等が用いられる。
【００４２】
制御装置３１３は、操作部３１１からの操作信号の入力に応じて、所定のプログラムを実行し、プロジェクタ２を通常モードから校正モードに移行させるとともに、プロジェクタ２の初期電圧値情報を校正するための校正情報を生成してプロジェクタ２に初期電圧値情報を校正させる。この制御装置３１３は、図３に示すように、インターフェース部３１３Ａと、ＡＤＣ３１３Ｂと、信号生成情報校正部としてのＣＰＵ３１３Ｃと、電圧風量関連情報記憶部としてのメモリ３１３Ｄとを備える。
インターフェース部３１３Ａは、プロジェクタ２のインターフェース部２４１と信号線Ｓｉ１を介して接続し、ＣＰＵ３１３Ｃから入力される信号に対して予め設定されている出力インターフェース処理を実行してプロジェクタ２に出力する。
ＡＤＣ３１３Ｂは、信号線Ｓｉ２を介して風量センサ３２から出力された信号（アナログ信号）をデジタル信号に変換してＣＰＵ３１３Ｃに出力する。
【００４３】
メモリ３１３Ｄは、ＣＰＵ３１３Ｃにて実行されるプログラムや、ＣＰＵ３１３Ｃにて校正情報を生成するための電圧風量関連情報を記憶する。前記電圧風量関連情報は、軸流ファン２３１Ａにおける設計上の特性を有する基準軸流ファンを用いて測定されたものであり、前記基準軸流ファンに印加された初期電圧値と、初期電圧値が印加され前記基準軸流ファンから送風される設計風量とが関連付けられたテーブル構造を有する。
ＣＰＵ３１３Ｃは、作業者による操作部３１１の入力操作に応じて、メモリ３１３Ｄから所定のプログラムを読み出し、所定の処理を実行して所定の信号をインターフェース部３１３Ａを介してプロジェクタ２に出力する。
例えば、ＣＰＵ３１３Ｃは、作業者による操作部３１１のプロジェクタ２の初期電圧値情報を校正する旨の入力操作に応じて、プロジェクタ２を通常モードから校正モードに移行させる旨の所定の制御コードを生成して、該制御コードをインターフェース部３１３Ａを介してプロジェクタ２に出力する。
【００４４】
また、例えば、ＣＰＵ３１３Ｃは、プロジェクタ２を通常モードから校正モードに移行させた後、風量センサ３２から出力されＡＤＣ３１３Ｂにて変換された信号に応じて風量センサ３２にて検出された検出風量を認識し、認識した検出風量と、電圧風量関連情報とに基づいて、検出風量および設計風量にずれがあるか否かを判定する。そして、ＣＰＵ３１３Ｃは、検出風量および設計風量にずれがあると判定した場合に、初期電圧値を所定電圧だけ変更する旨の校正情報を生成し、生成した校正情報に応じた信号をインターフェース部３１３Ａを介してプロジェクタ２に出力する。このように、ＣＰＵ３１３Ｃは、検出風量および設計風量にずれがある場合、すなわち、プロジェクタ２に搭載された軸流ファン２３１Ａが初期電圧値で駆動した際に設計風量を送風していない場合に、軸流ファン２３１Ａの特性が設計上の特性と異なると判定し、所定の状態で所望の回転数で回転し所定の風量が得られるように初期電圧値を所定電圧だけ変更する旨の校正情報を生成する。
【００４５】
〔プロジェクタの製造方法〕
次に、上述したファン制御校正装置３を利用したプロジェクタ２の製造方法（ファン制御校正方法）を図面に基づいて説明する。なお、以下の製造方法を実施する前に、プロジェクタ２は、全て組み立てられた状態で、電源がＯＮされ通常モードで駆動しているものとする。
図４は、ファン制御校正装置３を利用したプロジェクタ２の製造方法（ファン制御校正方法）を説明するフローチャートである。
先ず、作業者は、プロジェクタ２の外装筺体２１のセンサ交換蓋２１１Ｂを取り外し、風量センサ３２をダクト２３２内壁に取り付ける（ステップＳ１：風量検出部設置ステップ）。そして、作業者は、風量センサ３２をダクト２３２内壁に取り付けた後、センサ交換蓋２１１Ｂを外装筺体２１に取り付ける。
【００４６】
ステップＳ１の後、作業者は、ファン制御校正装置３の操作部３１１によりプロジェクタ２における初期電圧値を校正する旨の入力操作を実施する。ファン制御校正装置３の制御装置３１３は、所定のプログラムにしたがって、プロジェクタ２を校正モードに移行させる旨の制御コードを生成し、インターフェース部３１３Ａ，２４１を介してプロジェクタ２に送信する（ステップＳ２）。
ステップＳ２の後、プロジェクタ２の制御装置２４は、ファン制御校正装置３から送信された制御コードを受信し、プロジェクタ２を通常モードから校正モードに移行する（ステップＳ３）。
【００４７】
ステップＳ３の後、制御装置２４のファン駆動制御部２４５は、校正モードに応じたプログラムにしたがって、信号生成情報記憶部２４６Ａに記憶された初期電圧値情報を読み出し、初期電圧値情報に基づく初期電圧値で軸流ファン２３１Ａを駆動させる（ステップＳ４）。
ステップＳ４において、制御装置２４は、軸流ファン２３１Ａを駆動させた後、軸流ファン２３１Ａを駆動した旨の所定の信号を、インターフェース部２４１，３１３Ａを介してファン制御校正装置３に送信する（ステップＳ５）。そして、ファン制御校正装置３は、制御装置２４から送信された信号を受信する（ステップＳ６）。
【００４８】
ステップＳ６の後、ファン制御校正装置３は、風量センサ３２に所定の制御信号を出力し、風量センサ３２にダクト２３２内の空気の風量（軸流ファン２３１Ａの風量）を検出させる（ステップＳ７：風量検出ステップ）。そして、風量センサ３２は、検出した風量に応じた信号をファン制御校正装置本体３１に出力する。
ステップＳ７の後、ファン制御校正装置本体３１は、風量センサ３２から出力される信号を入力し、風量センサ３２にて検出された軸流ファン２３１Ａの検出風量を認識する。この後、ＣＰＵ３１３Ｃは、メモリ３１３Ｄに格納された電圧風量関連情報を読み出し、初期電圧値に関連付けられた設計風量と、検出風量とを比較し（ステップＳ８：情報比較ステップ）、設計風量および検出風量にずれがあるか否かを判定する（ステップＳ９）。
ステップＳ９において、ＣＰＵ３１３Ｃは、「Ｙ」と判定した場合、すなわち、設計風量および検出風量にずれがあると判定した場合には、設計風量および検出風量の偏差に基づいて、初期電圧値を所定電圧だけ変更する旨の校正情報を生成する。そして、ＣＰＵ３１３Ｃは、生成した校正情報に応じた信号を、インターフェース部３１３Ａ，２４１を介してプロジェクタ２に送信する（ステップＳ１０）。
【００４９】
ステップＳ１０の後、プロジェクタ２は、ファン制御校正装置３から送信された校正情報に応じた信号を受信する。そして、制御装置２４は、受信した信号に基づいて、信号生成情報記憶部２４６Ａに記憶された初期電圧値情報に基づく初期電圧値を所定電圧だけ変更し、変更した初期電圧値に関する初期電圧値情報を信号生成情報記憶部２４６Ａに記憶させる（ステップＳ１１：信号生成情報校正ステップ）。
ステップＳ１１の後、制御装置２４は、校正モードに応じたプログラムにしたがって、再度、変更した初期電圧値で軸流ファン２３１Ａを駆動させ（ステップＳ４）、軸流ファン２３１Ａを駆動した旨の所定の信号をファン制御校正装置３に送信する（ステップＳ５）。
そして、上述したように、ファン制御校正装置３は、プロジェクタ２からの信号の受信（ステップＳ６）、風量センサ３２による軸流ファン２３１Ａの風量の検出（ステップＳ７）、設計風量および検出風量の比較（ステップＳ８）、設計風量および検出風量にずれがあるか否かの判定（ステップＳ９）を実施する。すなわち、ステップＳ９において、ＣＰＵ３１３Ｃが「Ｎ」と判定するまで、すなわち、設計風量および検出風量にずれがないと判定するまで、上述したステップＳ４〜Ｓ１１が繰り返し実施される。
【００５０】
ステップＳ９において、ＣＰＵ３１３Ｃは、「Ｎ」と判定した場合には、初期電圧値情報の校正が完了した旨の完了コードを作成し、インターフェース部３１３Ａ，２４１を介してプロジェクタ２に送信する（ステップＳ１２）。
ステップＳ１２の後、プロジェクタ２の制御装置２４は、ファン制御校正装置３から送信された完了コードを受信し、プロジェクタ２を校正モードから通常モードに移行する（ステップＳ１３）。
そして、作業者は、プロジェクタ２の外装筐体２１のセンサ交換蓋２１１Ｂを取り外し、風量センサ３２をダクト２３２内壁から取り外す（ステップＳ１４：風量検出部取外ステップ）。そして、作業者は、風量センサ３２をダクト２３２内壁から取り外した後、センサ交換蓋２１１Ｂを外装筐体２１に取り付ける。
以上のような工程により、プロジェクタ２が製造される（プロジェクタ２の初期電圧値情報が校正される）。
【００５１】
以上説明した第1実施形態においては、以下の効果がある。
図５は、第1実施形態における効果を説明するための図である。具体的に、図５は、上述した製造方法（ファン制御校正方法）により製造されたプロジェクタ２におけるファン駆動制御部２４５によるフィードバック制御の状態を示す図である。なお、図５では、横軸が時間を示し、縦軸が軸流ファン２３１Ａに印加する電圧値を示している。また、図５において、実線ＣＬが上述した製造方法（ファン制御校正方法）により製造する前の状態を示し、２つの破線ＤＬ１，ＤＬ２が上述した製造方法（ファン制御校正方法）により製造した後の状態を示している。
製造する前の軸流ファン２３１Ａのフィードバック制御では、図５の実線で示すように、軸流ファン２３１Ａの特性が設計上の特性と異なるため、初期駆動時において、初期電圧値Ｖ０で軸流ファン２３１Ａを駆動しても、軸流ファン２３１Ａの回転数が設計上の回転数と異なる回転数で回転し、軸流ファン２３１Ａから設計風量が送風されない。このため、例えば、初期電圧値Ｖ０で軸流ファン２３１Ａを駆動させる初期駆動時において、軸流ファン２３１Ａが設計上の回転数よりも余計に大きい回転数で駆動している場合には、軸流ファン２３１Ａ自体からの騒音を発生させてしまう。また、例えば、初期電圧値Ｖ０で軸流ファン２３１Ａを駆動させる初期駆動時において、軸流ファン２３１Ａが設計上の回転数よりも比較的に小さい回転数で駆動している場合には、初期電圧値Ｖ０で軸流ファン２３１Ａを駆動させた後、サーミスタ２４７にて検出された検出温度と、メモリ２４６に記憶された設定温度情報に基づく設定温度とに基づいて軸流ファンＡに印加する電圧値を変更して光源ランプ２２１Ａ１近傍の温度が前記設定温度になるようにフィードバック制御を実施した際、光源ランプ２２１Ａ１近傍の温度を前記設定温度までに冷却する時間が長くなってしまう。
【００５２】
本実施形態によれば、ファン制御校正装置３が軸流ファン２３１Ａの特性に応じて初期電圧値情報を校正するので、軸流ファン２３１Ａの特性が設計上の特性を有していない場合であっても、所望の回転数で軸流ファン２３１Ａを回転させて軸流ファン２３１Ａから所望の風量の空気を送風させることができる。
例えば、軸流ファン２３１Ａの特性が設計上の特性を有しておらず、軸流ファン２３１Ａから送風される風量が設計風量よりも小さい場合には、ファン制御校正装置３は、図５に示すように、初期電圧値Ｖ０を初期電圧値Ｖ１に変更し、軸流ファン２３１Ａの初期駆動時において、軸流ファン２３１Ａから送風される風量を増加させて設計風量を送風させることができる。そして、ファン駆動制御部２４５における軸流ファン２３１Ａのフィードバック制御時において、光源ランプ２２１Ａ１を所定の設定温度まで迅速に冷却することができる。したがって、光源ランプ２２１Ａ１の長寿命化を図れ、ひいては、プロジェクタ２の長寿命化を図れる。
【００５３】
また、例えば、軸流ファン２３１Ａの特性が設計上の特性を有しておらず、軸流ファン２３１Ａから送風される風量が設計風量よりも大きい場合には、ファン制御校正装置３は、図５に示すように、初期電圧値Ｖ０を初期電圧値Ｖ２に変更し、軸流ファン２３１Ａの初期駆動時において、軸流ファン２３１Ａから送風される風量を減少させて設計風量を送風させることができ、余計に軸流ファン２３１Ａを回転させることなく軸流ファン２３１Ａ自体の騒音を抑制できる。したがって、プロジェクタ２から出力される音声が軸流ファン２３１Ａから生じる騒音により妨害されることがない。
【００５４】
また、ファン制御校正装置３を校正する風量センサ３２がプロジェクタ２のダクト２３２内壁に着脱自在に取り付けられているので、プロジェクタ２を製造する際、すなわち、プロジェクタ２に搭載されたメモリ２４６の初期電圧値情報を校正する際にのみ、風量センサ３２を取り付ければよく、プロジェクタ２に風量センサ３２を内蔵する構成と比較して、プロジェクタ２自体のコスト低減を図れる。
【００５５】
[第2実施形態]
次に、本発明の第2実施形態を図面に基づいて説明する。
以下の説明では、前記第１実施形態と同様の構造および同一部材には同一符号を付して、その詳細な説明は省略または簡略化する。
図６は、第２実施形態におけるプロジェクタ２’およびファン制御校正装置３’の制御構造を模式的に示すブロック図である。
前記第１実施形態では、プロジェクタ２における制御装置２４のファン駆動制御部２４５は、軸流ファン２３１Ａをフィードバック制御により駆動制御している。また、ファン制御校正装置３のＣＰＵ３１３Ｃは、制御装置２４におけるメモリ２４６に記憶された初期電圧値情報を校正させている。
これに対して、第２実施形態では、プロジェクタ２’における制御装置２４’のファン駆動制御部２４５’は、信号生成情報記憶部としてのメモリ２４６’に記憶された信号生成情報としての電圧温度関連情報、およびサーミスタ２４７にて検出された検出温度に基づいて、検出温度に応じた電圧値で軸流ファン２３１Ａを駆動させる温度対応制御を実施している。また、ファン制御校正装置３’のＣＰＵ３１３Ｃ’は、制御装置２４’におけるメモリ２４６’に記憶された電圧温度関連情報を校正させる。すなわち、本実施形態は、ファン駆動制御部２４５’の制御構造、メモリ２４６’に記憶された情報、およびＣＰＵ３１３Ｃ’の制御構造が前記第１実施形態と異なるのみであり、その他の構成は、前記第１実施形態と同様のものである。
【００５６】
図７および図８は、メモリ２４６’に記憶された情報の一例を示す図である。
メモリ２４６’に記憶された電圧温度関連情報は、温度に関する温度情報、および温度に応じた回転数で軸流ファン２３１Ａを駆動させるための電圧値に関する電圧値情報が関連付けられた情報であり、温度−電圧値対応情報（図７）と、入力コード−電圧値対応情報（図８）とで構成されている。
温度−電圧値対応情報は、サーミスタ２４７で検出された検出温度がいずれの温度範囲に位置付けられているかを判定し、判定された温度範囲に応じた電圧値を判別するための情報である。具体的に、温度−電圧値対応情報は、例えば、図７に示すように、温度閾値１以下に対して電圧値○○を対応させ、温度閾値１超温度閾値２以下に対して電圧値○△を対応させ、温度閾値２超温度閾値３以下に対して電圧値×□を対応させたテーブル構造を有している。
【００５７】
入力コード−電圧値対応情報は、温度−電圧値対応情報に基づいて判別された電圧値で軸流ファン２３１Ａを駆動するために、制御部本体２４５Ｂ’がＤＡＣ２４５Ｃに出力する入力コードを判別するための情報である。具体的に、入力コード−電圧値対応情報は、例えば、図８に示すように、電圧値と入力コードとが正の相関を有する関係の情報である。なお、図８では、８ビットの入力コードに対応してアナログ信号（電圧）を出力するＤＡＣ２４５Ｃを採用した場合を示しているが、ＤＡＣ２４５Ｃとしては、これに限らず、その他、１６ビット等の入力コードに対応してアナログ信号（電圧）を出力する構成を採用してもよい。
なお、メモリ２４６’は、前記第１実施形態と同様に、校正モードにおいて軸流ファン２３１Ａを駆動させるための初期電圧値に関する初期電圧値情報も記憶しているものとする。
【００５８】
ファン駆動制御部２４５’における温度対応制御は、以下に示すように実施する。
具体的に、ファン駆動制御部２４５’は、メモリ２４６’に記憶された温度−電圧値対応情報、およびサーミスタ２４７にて検出された検出温度に基づいて、光源ランプ２２１Ａ１近傍の温度が、例えば、図７に示すような温度閾値１以下、温度閾値１超温度閾値２以下、温度閾値２超温度閾値３以下等のいずれの温度範囲に位置付けられているかを判定し、これら温度範囲に対応した電圧値を判別する。また、ファン駆動制御部２４５’は、入力コード−電圧値対応情報に基づいて、図８に示すように、判別した電圧値に応じた入力コードを判別してＤＡＣ２４５Ｃに出力する。
ＣＰＵ３１３Ｃ’は、メモリ３１３Ｄに記憶された電圧風量関連情報、および風量センサ３２にて検出された風量に基づいて、メモリ２４６’に記憶された入力コード−電圧値対応情報を校正させる。
以上説明した軸流ファン２３１Ａ、ファン駆動制御部２４５’、およびメモリ２４６’が本発明に係る冷却装置２４８’に相当する。
【００５９】
次に、第２実施形態におけるプロジェクタ２’の製造方法（ファン制御校正方法）を説明する。なお、本実施形態の製造方法（ファン制御校正方法）は、前記第１実施形態における製造方法（ファン制御校正方法）と略同様に実施でき、異なる点は、図４に示すステップＳ１０およびステップＳ１１の工程のみであり、以下では、本実施形態におけるステップＳ１０およびステップＳ１１のみを説明する。その他のステップＳ１〜Ｓ９、Ｓ１２〜Ｓ１４の工程は、前記第１実施形態と同様に実施するものである。
本実施形態のステップＳ１０では、ステップＳ９において、ＣＰＵ３１３Ｃ’が設計風量および検出風量にずれがあると判定した場合に、設計風量および検出風量の偏差に基づいて、初期電圧値に対応する入力コードを所定のビット数だけ変更する旨の校正情報を生成し、生成した校正情報に応じた信号を、インターフェース部３１３Ａ，２４１を介してプロジェクタ２に送信する。
【００６０】
図９は、信号生成情報校正ステップを説明するための図である。なお、図９では、実線ＣＬ’がステップＳ１１を実施する前の入力コード−電圧値対応情報を示し、２つの破線ＤＬ１’，ＤＬ２’がステップＳ１１を実施した後の入力コード−電圧値対応情報を示している。
そして、本実施形態のステップＳ１１（信号生成情報校正ステップ）では、プロジェクタ２’は、ファン制御校正装置３’から送信された校正情報に応じた信号を受信する。制御装置２４’は、受信した信号に基づいて、図９に示すように、電圧値と入力コードとの相関関係（傾き）を変更せずに、メモリ２４６’に記憶された入力コード−電圧値対応情報に基づく初期電圧値Ｖ０に対応する入力コードを所定のビット数Ｂだけ変更して入力コード−電圧値対応情報を校正して、校正した入力コード−電圧値対応情報をメモリ２４６’に記憶させる。
そして、上述したステップＳ１〜Ｓ１４の工程により、プロジェクタ２’が製造される（プロジェクタ２’における入力コード−電圧値対応情報が校正される）。
【００６１】
以上説明した第２実施形態においては、ファン制御校正装置３’が軸流ファン２３１Ａの特性に応じて入力コード−電圧値対応情報を校正するので、軸流ファン２３１Ａの特性が設計上の特性を有していない場合であっても、光源ランプ２２１Ａ１近傍の温度が所定の温度状態の時に所望の回転数で軸流ファン２３１Ａを回転させて軸流ファン２３１Ａから所望の風量の空気を送風させることができ、光源ランプ２２１Ａ１をより効率的に冷却できる。
また、ファン制御校正装置３’は、電圧値と入力コードとの相関関係（傾き）を変更せずに、メモリ２４６’に記憶された入力コード−電圧値対応情報に基づく初期電圧値Ｖ０に対応する入力コードを所定のビット数Ｂだけ変更して入力コード−電圧値対応情報を校正させるので、初期電圧値Ｖ０の１点のみで入力コード−電圧値対応情報を校正させることができ、プロジェクタ２の製造、すなわち、入力コード−電圧値対応情報の校正を迅速に実施できる。
【００６２】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図１０は、第３実施形態における電子機器としてのプロジェクタ４の制御構造を模式的に示すブロック図である。
前記第１実施形態では、ファン制御校正装置３を利用してプロジェクタ２におけるファン制御を校正している。
これに対して、第２実施形態では、プロジェクタ４自体がファン制御を校正する機能を有している。すなわち、プロジェクタ４は、前記第１実施形態で説明したプロジェクタ２にファン制御校正装置３が搭載された構成を有しており（風量センサ３２もダクト２３２内壁に常時取り付けられている）、制御装置４４の構成が前記第１実施形態で説明した制御装置２４と異なるのみであり、その他の構成は前記第１実施形態と同様のものである。
【００６３】
制御装置４４は、前記第１実施形態で説明した制御装置２４と同様に、各液晶パネル２２４Ａ１、光源装置２２１Ａ、ファン装置２３１等を制御するとともに、プロジェクタ４の起動毎にメモリ４４６に記憶された信号生成情報としての初期電圧値情報を校正可能とする。この制御装置４４は、図１０に示すように、前記第１実施形態で説明したインターフェース部２４１、液晶パネル駆動制御部２４２、フレームメモリ２４３、ランプ駆動制御部２４４、およびファン駆動制御部２４５（ＡＤＣ２４５Ａ、制御部本体２４５Ｂ、およびＤＡＣ２４５Ｃを含む）の他、メモリ４４６と、信号生成情報校正部４４７とを備える。
【００６４】
メモリ４４６は、図１０に示すように、前記第１実施形態で説明したメモリ２４６と同様の信号生成情報記憶部２４６Ａおよび設定温度情報記憶部２４６Ｂの他、前記第１実施形態で説明した電圧風量関連情報を記憶する電圧風量関連情報記憶部４４６Ｃを備える。
なお、メモリ４４６は、利用者によりプロジェクタ４の図示しない操作部に設定入力され、プロジェクタ４の起動毎に初期電圧値情報を校正する校正モードに移行するか否かの校正モード設定情報や、制御装置４４にて実行される処理のプログラム等も記憶しているものとする。校正モード設定情報は、利用者によるプロジェクタ４の図示しない操作部の設定入力により、プロジェクタ４の起動毎に校正モードに移行する設定や、プロジェクタ４が起動しても校正モードに移行せずに通常モードの状態とする設定が、適宜、変更されるものである。
【００６５】
信号生成情報校正部４４７は、メモリ４４６に記憶された校正モード設定情報に応じて、所定のプログラムを実行し、プロジェクタ４を通常モードから校正モードに移行するとともに、プロジェクタ４の初期電圧値情報を校正する。この信号生成情報校正部４４７は、図１０に示すように、ＡＤＣ４４７Ａと、校正部本体４４７Ｂとを備える。
ＡＤＣ４４７Ａは、前記第１実施形態で説明したＡＤＣ３１３Ｂと同様に、風量センサ３２から出力された信号（アナログ信号）をデジタル信号に変換して校正部本体４４７Ｂに出力する。
【００６６】
校正部本体４４７Ｂは、メモリ４４６に記憶された校正モード設定情報に応じて、メモリ４４６から所定のプログラムを読み出し、所定の処理を実行してメモリ４４６の初期電圧値情報を校正する。
例えば、校正部本体４４７Ｂは、校正モード設定情報に応じて、プロジェクタ４の起動毎に校正モードに移行する旨が設定されているか否かを判定し、プロジェクタ４の起動毎に校正モードに移行する旨が設定されている場合に、プロジェクタ４を通常モードから校正モードに移行する。
【００６７】
また、例えば、校正部本体４４７Ｂは、前記第１実施形態で説明したＣＰＵ３１３Ｃと同様に、プロジェクタ４を通常モードから校正モードに移行した後、風量センサ３２にて検出された検出風量と電圧風量関連情報とに基づいて、検出風量および設計風量にずれがあるか否かを判定する。そして、校正部本体４４７Ｂは、検出風量および設計風量にずれがあると判定した場合に、メモリ４４６に記憶された初期電圧値情報に基づく初期電圧値を所定電圧だけ変更し、変更した初期電圧値情報をメモリ４４６に記憶させる。このように、校正部本体４４７Ｂは、前記第１実施形態で説明したＣＰＵ３１３Ｃと同様に、検出風量および設計風量にずれがある場合、すなわち、プロジェクタ４に搭載された軸流ファン２３１Ａが初期電圧値で駆動した際に設計風量を送風していない場合に、軸流ファン２３１Ａの特性が設計上の特性と異なると判定し、所定の状態で所望の回転数で回転し所定の風量が得られるようにメモリ４４６に記憶された初期電圧値情報に基づく初期電圧値を所定電圧だけ変更する。
以上説明した軸流ファン２３１Ａ、ファン駆動制御部２４５、メモリ４４６、風量センサ３２、および信号生成情報校正部４４７が本発明に係る冷却装置４４８に相当する。
【００６８】
次に、第３実施形態におけるプロジェクタ４のファン制御校正方法を説明する。なお、本実施形態のファン制御校正方法は、前記第１実施形態におけるファン制御校正方法と略同様に実施でき、以下では、簡略化して説明する。
図１１は、プロジェクタ４のファン制御校正方法を説明するフローチャートである。
先ず、利用者によるプロジェクタ４の図示しない操作部の電源ＯＮボタンが押下され、プロジェクタ４が起動すると（ステップＳ３１）、制御装置４４は、メモリ４４６に記憶された校正モード設定情報に基づいて、プロジェクタ４の起動毎に校正モードに移行する状態の設定が実施されているか否かを判定する（ステップＳ３２）。
【００６９】
ステップＳ３２において、制御装置４４は、「Ｎ」と判定した場合、すなわち、プロジェクタ４が起動しても校正モードに移行せずに通常モードの状態とする設定が実施されていると判定した場合には、校正モードに移行せずに通常モードの状態でプロジェクタ４を駆動させる（ステップＳ３９）。
一方、ステップＳ３２において、制御装置４４は、「Ｙ」と判定した場合、すなわち、プロジェクタ４の起動毎に校正モードに移行する設定が実施されていると判定した場合には、プロジェクタ４を通常モードから校正モードに移行する（ステップＳ３３）。
ステップＳ３３の後、制御装置４４のファン駆動制御部２４５は、前記第１実施形態で説明したステップＳ４と同様に、メモリ４４６に記憶された初期電圧値情報に基づく初期電圧値で軸流ファン２３１Ａを駆動させる（ステップＳ３４）。
【００７０】
ステップＳ３４の後、信号生成情報校正部４４７は、前記第１実施形態で説明したステップＳ７と同様に、風量センサ３２にダクト２３２内の空気の風量（軸流ファン２３１Ａの風量）を検出させる（ステップＳ３５：風量検出ステップ）。そして、風量センサ３２は、検出した風量に応じた信号を信号生成情報校正部４４７に出力する。
ステップＳ３５の後、信号生成情報校正部４４７は、前記第１実施形態で説明したステップＳ８およびＳ９と同様に、メモリ４４６に格納された電圧風量関連情報に基づいて、初期電圧値に関連付けられた設計風量と、風量センサ３２にて検出された検出風量とを比較し（ステップＳ３６：情報比較ステップ）、設計風量および検出風量にずれがあるか否かを判定する（ステップＳ３７）。
【００７１】
ステップＳ３７において、信号生成情報校正部４４７は、「Ｙ」と判定した場合、すなわち、設計風量および検出風量にずれがあると判定した場合には、設計風量および検出風量の偏差に基づいて、メモリ４４６に記憶された初期電圧値情報に基づく初期電圧値を所定電圧だけ変更して、変更した初期電圧値情報をメモリ４４６に記憶させる（ステップＳ３８：信号生成情報校正ステップ）。
【００７２】
ステップＳ３８の後、制御装置４４は、校正モードに応じたプログラムにしたがって、再度、変更した初期電圧値での軸流ファン２３１Ａの駆動（ステップＳ３４）、風量センサ３２による軸流ファン２３１Ａの風量の検出（ステップＳ３５）、設計風量および検出風量の比較（ステップＳ３６）、設計風量および検出風量にずれがあるか否かの判定（ステップＳ３７）を実施する。すなわち、ステップＳ３８において、信号生成情報校正部４４７が「Ｎ」と判定するまで、すなわち、設計風量および検出風量にずれがないと判定するまで、上述したステップＳ３４〜Ｓ３８が繰り返し実施される。
ステップＳ３８において、信号生成情報校正部４４７は、「Ｎ」と判定した場合には、プロジェクタ４を校正モードから通常モードに移行する（ステップＳ３９）。
以上のような工程により、プロジェクタ４の初期電圧値情報が校正される。
【００７３】
上述した第３実施形態においては、プロジェクタ４自体がファン制御を校正する機能を有しているので、プロジェクタ４の起動毎に、ファン制御の校正（初期電圧値情報の校正）を実施できる。このため、軸流ファン２３１Ａの経時劣化等により軸流ファン２３１Ａの特性が時間の経過に応じて変化した場合であっても、変化した軸流ファン２３１Ａの特性に応じて初期電圧値情報を校正でき、常時、所望の回転数で軸流ファン２３１Ａを回転させて軸流ファン２３１Ａから所望の風量の空気を送風させることができる。
【００７４】
ところで、プロジェクタ４を使用する場所（低地や高地等）が異なる場合には、軸流ファン２３１Ａから送風される風量が異なるものである。
本実施形態では、プロジェクタ４に風量センサ３２が内蔵された構成であるので、風量センサ３２にて検出された風量に基づいて、プロジェクタ４の使用場所の標高を推測することが可能となる。このため、推測した標高に応じてプロジェクタ４のシャットダウン等のプロジェクタ４内部の温度制御を実施することが可能となり、利用者にとって非常に使い勝手のよいものとなる。
【００７５】
なお、本発明は前述の実施形態に限定されるものではなく、本発明の目的を達成できる範囲での変形、改良等は本発明に含まれるものである。
前記第１実施形態および前記第２実施形態では、風量センサ３２をプロジェクタ２，２’のダクト２３２内壁に着脱自在に取り付けられる構造としたが、これに限らず、前記第３実施形態と同様に、風量センサ３２をプロジェクタ２，２’に内蔵する構成としてもよい。
また、前記第３実施形態では、風量センサ３２をプロジェクタ４に内蔵する構成としたが、これに限らず、前記第１実施形態および前記第２実施形態と同様に、風量センサ３２をプロジェクタ４のダクト２３２内壁に着脱自在に取り付けられる構造としてもよい。この際には、風量センサ３２とプロジェクタ４のインターフェース部２４１とを所定の信号線により接続し、風量センサ３２の駆動制御をプロジェクタ４にて実施可能に構成しかつ、風量センサ３２から出力される信号をプロジェクタ４に出力可能に構成すればよい。
【００７６】
前記各実施形態では、風量センサ３２は、ダクト２３２内壁に取り付けられていたが、これに限らず、駆動制御する冷却ファン（軸流ファン２３１Ａ）の風量を検出可能であれば、いずれの場所に設置する構成を採用してもよい。
また、前記各実施形態では、冷却ファンとして１つの軸流ファン２３１Ａを採用したが、これに限らず、複数の冷却ファンを駆動制御する構成を採用してもよい。この際には、各冷却ファンに対応した場所に複数の風量センサ３２を配設すればよい。
さらに、前記各実施形態では、冷却対象として光源ランプ２２１Ａ１を採用したが、これに限らず、その他の発熱部材、例えば、液晶パネル２２４Ａ１を冷却対象として採用してもよい。
【００７７】
前記第２実施形態では、メモリ２４６’に記憶された電圧温度関連情報である入力コード−電圧値対応情報を校正する構成を採用したが、温度情報および電圧値情報の関係を変更すればよく、例えば、電圧温度関連情報である温度−電圧値対応情報を校正する構成を採用してもよい。
また、前記第２実施形態では、電圧値と入力コードとの相関関係（傾き）を変更せずに、初期電圧値Ｖ０に対応する入力コードを所定のビット数Ｂだけ変更して入力コード−電圧値対応情報を校正させていたが、これに限らず、電圧値と入力コードとの相関関係（傾き）を変更可能に入力コード−電圧値対応情報を校正させる構成を採用してもよい。この際、初期電圧値Ｖ０の１点のみで入力コード−電圧値対応情報を校正させるのではなく、複数の電圧値の複数点で入力コード−電圧値対応情報を校正させる。
【００７８】
前記第３実施形態では、ファン駆動制御部２４５がフィードバック制御を実施する第１実施形態で説明したプロジェクタ２に風量センサ３２および信号生成情報校正部４４７等を搭載したプロジェクタ４を採用したが、これに限らず、ファン駆動制御部２４５’が温度対応制御を実施する第２実施形態で説明したプロジェクタ２’に風量センサ３２および信号生成情報校正部４４７等を搭載した構成としてもよい。
【００７９】
前記各実施形態では、プロジェクタ２，２’とファン制御校正装置３，３’、風量センサ３２とファン制御校正装置本体３１、および風量センサ３２と信号生成情報校正部４４７が信号線Ｓｉ１，Ｓｉ２にて接続されていたが、これらは、有線で接続する校正に限らず、光、音、電波等の無線にて接続する構成を採用してもよい。
【００８０】
前記各実施形態では、透過型の液晶パネル２２４Ａ１を採用していたが、これに限らず、反射型の液晶パネルを採用してもよく、あるいは、ディジタル・マイクロミラー・デバイス（テキサス・インスツルメント社の商標）を採用してもよい。
また、前記各実施形態では、液晶パネル２２４Ａ１を３枚設けた構成としていたが、これに限らず、１枚のみの液晶パネルを設ける構成、２枚の液晶パネルを設ける構成、４枚以上の液晶パネルを設ける構成としてもよい。
さらに、前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
さらにまた、前記各実施形態では、本発明に係る電子機器としてプロジェクタを採用したが、これに限らず、発熱部品が搭載された電子機器であればいずれの電子機器でも本発明を採用することができる。
【００８１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８２】
本発明のファン制御校正装置は、冷却ファンの特性が設計上の特性を有していない場合であっても、冷却ファンの特性に応じてファン制御を校正し、所望の回転数で冷却ファンを回転させることができるため、プロジェクタに搭載される冷却ファンのファン制御を校正するファン制御校正装置として有用である。
【図面の簡単な説明】
【００８３】
【図１】第１実施形態におけるファン制御校正装置を利用したファン制御校正システムの概略構成を示す図。
【図２】前記実施形態における電子機器としてのプロジェクタの概略構成を示す図。
【図３】前記実施形態におけるプロジェクタおよびファン制御校正装置の制御構造を模式的に示すブロック図。
【図４】前記実施形態におけるファン制御校正装置を利用したプロジェクタの製造方法（ファン制御校正方法）を説明するフローチャート。
【図５】前記実施形態における効果を説明するための図。
【図６】第２実施形態におけるプロジェクタおよびファン制御校正装置の制御構造を模式的に示すブロック図。
【図７】前記実施形態におけるメモリに記憶された情報の一例を示す図。
【図８】前記実施形態におけるメモリに記憶された情報の一例を示す図。
【図９】前記実施形態における信号生成情報校正ステップを説明するための図。
【図１０】第３実施形態における電子機器としてのプロジェクタの制御構造を模式的に示すブロック図。
【図１１】前記実施形態におけるプロジェクタのファン制御校正方法を説明するフローチャート。
【符号の説明】
【００８４】
２，４・・・プロジェクタ（電子機器）、３，３’・・・ファン制御校正装置、３２・・・風量センサ（風量検出部）、２３１Ａ・・・軸流ファン（冷却ファン）、２４５，２４５’・・・ファン駆動制御部、２４６Ａ・・・信号生成情報記憶部、２４６’・・・メモリ（信号生成情報記憶部）、２４７・・・サーミスタ（温度検出部）、２４８，２４８’，４４８・・・冷却装置、３１３Ｃ・・・ＣＰＵ（信号生成情報校正部）、３１３Ｄ・・・メモリ（電圧風量関連情報記憶部）、４４６Ｃ・・・電圧風量関連情報記憶部、４４７・・・信号生成情報校正部、Ｓ１・・・風量検出部設置ステップ、Ｓ７，Ｓ３５・・・風量検出ステップ、Ｓ８，Ｓ３６・・・情報比較ステップ、Ｓ１１，Ｓ３８・・・信号生成情報校正ステップ、Ｓ１４・・・風量検出部取外ステップ。
【図１】
2006215198.tif 000003
【図２】
2006215198.tif 000004
【図３】
2006215198.tif 000005
【図４】
2006215198.tif 000006
【図５】
2006215198.tif 000007
【図６】
2006215198.tif 000008
【図７】
2006215198.tif 000009
【図８】
2006215198.tif 000010
【図９】
2006215198.tif 000011
【図１０】
2006215198.tif 000012
【図１１】
2006215198.tif 000013